(57)【特許請求の範囲】
【請求項１】
長尺状の照明装置を二つ備える飛行機用照明システムであって、
前記照明装置は、
光源と、
前記光源から入射された光を出射する長尺状の光学部材とを備え、
前記光学部材は、前記光源からの光が入射する長尺状の光入射面と、前記光入射面から入射した光が出射する長尺状の光出射面とを備え、
前記光学部材には、複数の光拡散部が設けられ、
前記複数の光拡散部のうち、前記光学部材の長手方向の一端の近傍に設けられた光拡散部の配光の向きは、前記照明装置の配光の向きから、前記長手方向における当該光拡散部から前記一端へ向かう向きに傾斜しており、
二つの前記照明装置は、前記長手方向に直列に配置される
飛行機用照明システム。
【請求項２】
前記複数の光拡散部のうち、前記長手方向の前記一端から、前記長手方向の中央までに設けられた光拡散部の配光の向きは、前記照明装置の配光の向きから、前記長手方向における当該光拡散部から前記一端へ向かう向きに傾斜している
請求項１に記載の飛行機用照明システム。
【請求項３】
前記複数の光拡散部のうち、前記長手方向の一端から、前記長手方向の中央までに設けられた光拡散部の配光の向きの、前記照明装置の配光の向きから、前記長手方向における当該光拡散部から前記一端へ向かう向きへの傾斜は、前記中央から前記一端にかけて漸増する
請求項１に記載の飛行機用照明システム。
【請求項４】
前記光学部材の前記光入射面には、前記光入射面から入射した光を前記長手方向と垂直な方向に集光するフレネルレンズを構成する溝が設けられている
請求項１〜３のいずれか１項に記載の飛行機用照明システム。
【請求項５】
前記光拡散部は凸状の曲面を有する
請求項１〜４のいずれか１項に記載の飛行機用照明システム。
【請求項６】
前記光拡散部は凹状の曲面を有する
請求項１〜４のいずれか１項に記載の飛行機用照明システム。
【請求項７】
請求項１〜６のいずれか１項に記載の飛行機用照明システムを備える
飛行機。
【発明の詳細な説明】
【技術分野】
【０００１】
本発明は、照明装置、照明システム、及び、当該照明装置又は当該照明システムを備える移動体に関する。
【背景技術】
【０００２】
照明装置には、導光板などの光学部材を用いて任意の形状で発光させる照明装置がある（例えば、特許文献１参照）。当該照明装置は、光源と、光源からの光を拡散させる光学部材とを備えている。光源は、例えば、複数のＬＥＤ（Ｌｉｇｈｔ  Ｅｍｉｔｔｉｎｇ  Ｄｉｏｄｅ）素子を用いたＬＥＤ光源である。光学部材の光出射面には、光拡散部として、例えば、直径が１〜１．５ｍｍ程度の半球状の複数の凸部が形成されている。
【先行技術文献】
【特許文献】
【０００３】
【特許文献１】特開２０１４−１１６２３６号公報
【発明の概要】
【発明が解決しようとする課題】
【０００４】
このような照明装置は、例えば、飛行機などの移動体にも用いられる。飛行機の客室では、照明装置の配置空間の関係で、線状ＬＥＤ光源が利用される場合がある。例えば、飛行機の客室の長手方向に沿って、複数の線状ＬＥＤ光源が、当該光源の長手方向に直列に配置される。
【０００５】
しかしながら、複数の線状ＬＥＤ光源が、当該光源の長手方向に直列に配置される場合には、隣り合う線状ＬＥＤ光源間に照明装置設置に必要な間隙が設けられる場合が多い。これにより、隣り合う線状ＬＥＤ光源からの出射光が照射される被照射面の当該間隙付近に暗部、すなわち照射光のむらが発生するという問題がある。
【０００６】
そこで、本発明は、照明光のむらを低減することができる照明装置、照明システム、及び、当該照明装置又は照明システムを用いた移動体を提供することを目的とする。
【課題を解決するための手段】
【０００７】
上記目的を達成するために、本発明の一態様に係る照明装置は、光源と、光源から入射された光を出射する長尺状の光学部材とを備え、光学部材は、光源からの光が入射する長尺状の光入射面と、光入射面から入射した光が出射する長尺状の光出射面とを備え、光学部材には、複数の光拡散部が設けられ、複数の光拡散部のうち、光学部材の長手方向の一端の近傍に設けられた光拡散部の配光の向きは、照明装置の配光の向きから、長手方向における当該光拡散部から一端へ向かう向きに傾斜している。
【発明の効果】
【０００８】
本発明は、照明光のむらを低減することができる照明装置、照明システム、及び、当該照明装置又は当該照明システムを用いた移動体を提供することができる。
【図面の簡単な説明】
【０００９】
【図１】図１は、実施の形態の移動体の断面の一例を示す断面図である。
【図２】図２は、実施の形態の移動体の内部空間の一例を示す斜視図である。
【図３】図３は、実施の形態の移動体における照明装置の配置の一例を示す断面図である。
【図４Ａ】図４Ａは、実施の形態に係る照明装置の外観の一例を示す斜視図である。
【図４Ｂ】図４Ｂは、実施の形態に係る照明装置の構成の一例を示す断面図である。
【図５Ａ】図５Ａは、実施の形態に係る導光板の外観の一例を示す斜視図である。
【図５Ｂ】図５Ｂは、実施の形態に係る導光板の構成の一例を示す上面視図である。
【図５Ｃ】図５Ｃは、実施の形態に係る導光板の構成の一例を示す断面図である。
【図５Ｄ】図５Ｄは、実施の形態に係る導光板の構成の一例を示す他の断面図である。
【図６】図６は、実施の形態に係る照明システムが設けられた飛行機の壁面を示す図である。
【図７】図７は、実施の形態の変形例１に係る光学部材の構成を示す断面図である。
【図８】図８は、実施の形態の変形例２に係る光学部材の構成を示す断面図である。
【発明を実施するための形態】
【００１０】
以下では、本発明の実施の形態に係る照明装置、照明システム、及び、当該照明装置又は当該照明システムを用いた移動体について、図面を用いて詳細に説明する。なお、以下に説明する実施の形態は、いずれも本発明の好ましい一具体例を示すものである。したがって、以下の実施の形態で示される数値、形状、材料、構成要素、構成要素の配置及び接続形態などは、一例であり、本発明を限定する趣旨ではない。よって、以下の実施の形態における構成要素のうち、本発明の最上位概念を示す独立請求項に記載されていない構成要素については、任意の構成要素として説明される。
【００１１】
また、各図は、模式図であり、必ずしも厳密に図示されたものではない。また、各図において、同じ構成部材については同じ符号を付している。
【００１２】
（実施の形態）
実施の形態の照明装置、照明システム、及び、当該照明装置又は照明システムを用いた移動体について、図１〜図５Ｄを用いて説明する。本実施の形態では、移動体が飛行機である場合を例に説明する。
【００１３】
［１−１．移動体の構成］
図１は、移動体の断面の一例を示す断面図である。図２は、移動体の内部空間の一例を示す斜視図である。図３は、移動体における照明装置の配置の一例を示す断面図である。
【００１４】
図１〜３に示すように、飛行機１００の客室Ｒ内には、座席群１４１〜１４４と、複数のオーバーヘッドビン１１１〜１１４と、照明システム１０１〜１０６とが配置されている。飛行機１００の外部には、主翼１５１及び１５２、水平尾翼１５３及び１５４、垂直尾翼１５５がある。飛行機１００の胴体の壁面１３１及び１３２には、複数の窓１３３が設けられている。
【００１５】
座席群１４１〜１４４は、それぞれ、飛行機１００の前後方向に沿って並ぶ２列の複数の座席で構成されている。座席群１４１〜１４４は、図１では、通路１６１及び１６２の両側に配置されている。図１において、座席群１４１は、壁面１３１と通路１６１との間に設けられる２列の座席群である。座席群１４２は、通路１６１と座席群１４３との間に設けられる２列の座席群である。座席群１４３は、座席群１４２と通路１６２との間に設けられる２列の座席群である。座席群１４４は、通路１６２と壁面１３２との間に設けられる２列の座席群である。
【００１６】
複数のオーバーヘッドビン１１１〜１１４の各々は、飛行機１００の長手方向に沿って配置された長尺状の荷物入れである。複数のオーバーヘッドビン１１１〜１１４は、座席群１４１〜１４４に対応して設けられている。複数のオーバーヘッドビン１１１〜１１４の各々は、対応する座席群１４１〜１４４の上部の天井に配置されている。また、複数のオーバーヘッドビン１１１及び１１２は、蓋部が通路１６１に向けて開くように構成されている。複数のオーバーヘッドビン１１３及び１１４は、蓋部が通路１６２に向けて開くように構成されている。
【００１７】
複数の照明システム１０１〜１０６は、それぞれ、複数の照明装置１０を備える。ここで、照明システム１０１〜１０６を構成する複数の照明装置１０は、後述するように長尺状の照明装置であり、飛行機１００の前後方向に沿って、長手方向に直列に配置される。
【００１８】
複数の照明装置１０の各々は、長尺状の照明装置であり、断面が長方形状の長尺状の筐体の内部に、線状光源と光学部材とが収納されている。ここでは、照明装置１０の設置位置について説明し、照明装置１０の構成については後で詳述する。
【００１９】
照明システム１０１及び１０６は、それぞれ、壁面１３１とオーバーヘッドビン１１１との間、及び、壁面１３２とオーバーヘッドビン１１４との間に配置される。また、照明システム１０２及び１０３は、それぞれ、天井１２１とオーバーヘッドビン１１１及び１１２との間に配置される。また、照明システム１０４及び１０５は、それぞれ、天井１２２とオーバーヘッドビン１１３及び１１４との間に配置される。
【００２０】
照明システム１０１を構成する複数の照明装置１０は、壁面１３１に向けて照明光を出力する。照明システム１０２及び１０３を構成する複数の照明装置１０は、天井１２１に向けて照明光を出力する。照明システム１０４及び１０５を構成する複数の照明装置１０は、天井１２２に向けて照明光を出力する。照明システム１０６を構成する複数の照明装置１０は、壁面１３２に向けて照明光を出力する。
【００２１】
より具体的には、照明システム１０１を構成する複数の照明装置１０は、壁面１３１とオーバーヘッドビン１１１との間に、照明光が壁面１３１に向う姿勢で配置されている。照明システム１０２を構成する複数の照明装置１０は、天井１２１とオーバーヘッドビン１１１との間に、照明光が天井１２１に向う姿勢で配置されている。照明システム１０３を構成する複数の照明装置１０は、天井１２１とオーバーヘッドビン１１２との間に、照明光が天井１２１に向う姿勢で配置されている。照明システム１０４を構成する複数の照明装置１０は、天井１２２とオーバーヘッドビン１１３との間に、照明光が天井１２２に向う姿勢で配置されている。照明システム１０５を構成する複数の照明装置１０は、天井１２２とオーバーヘッドビン１１４との間に、照明光が天井１２２に向う姿勢で配置されている。照明システム１０６を構成する複数の照明装置１０は、壁面１３２とオーバーヘッドビン１１４との間に、照明光が壁面１３２に向う姿勢で配置されている。
【００２２】
また、図２に示すように、照明システム１０１及び１０２を構成する複数の照明装置１０の間には、間隙１２３が設けられている。これにより、照明装置１０設置に必用な空間を確保している。なお、図示しないが、照明システム１０３〜１０６においても、同様に複数の照明装置１０の間に間隙１２３が設けられている。
【００２３】
飛行機１００のような移動体では、照明装置１０により直接座席群１４１〜１４３に向けて照明光を出力するのではなく、天井１２１又は１２２、壁面１３１又は１３２により反射された光で座席群１４１〜１４３を照明している。
【００２４】
［１−２．照明装置の構成］
図４Ａは、本実施の形態に係る照明装置の外観の一例を示す斜視図である。図４Ｂは、本実施の形態に係る照明装置の構成の一例を示す断面図である。
【００２５】
図４Ａ及び図４Ｂでは、照明光の出力の向き、すなわち、照明光の配光の軸の向きをＺ軸方向としている。なお、以下において、配光の軸の向きを、単に、配光の向きともいう。
【００２６】
また、後で詳述するが、照明装置の筐体１１は長尺状であり、筐体１１の長手方向に平行かつＺ軸に直交する軸をＹ軸としている。Ｘ軸は、Ｙ軸及びＺ軸に直交する軸である。
【００２７】
図４Ａでは、説明のため、光学部材３０を取り外した状態の照明装置１０を示している。図４Ｂは、図４Ａに示される照明装置１０のＩＶＢ−ＩＶＢ線を含むＸＺ平面に平行な断面をＹ軸の負の側から見た図である。図４Ｂでは光学部材３０を装着した状態の照明装置を図示している。
【００２８】
照明装置１０は、図４Ｂに示すように、筐体１１と、線状光源２０と、光学部材３０とを備えている。
【００２９】
筐体１１は、線状光源２０と光学部材３０とを収納する部材であり、ＸＺ平面に平行な断面の形状が長方形状の長尺状の部材である。
【００３０】
筐体１１には、上面１１ａ（ＸＹ平面に平行な２つの面のうち、Ｚ軸正側の面）に長方形状の開口部１１ｂが形成されている。開口部１１ｂは、線状光源２０から出力された光を筐体１１の外側に出射させるための開口部である。
【００３１】
また、筐体１１は、端面（ＸＺ平面に平行な面）が開口され、表面の形状が長方形状の側面板１２により覆われている。照明装置１０の組み立て時には、この開口された端面から、線状光源２０及び光学部材３０が筐体１１の内部に差し込まれる。線状光源２０及び光学部材３０が筐体１１内に収納された後、当該端面は側面板１２により塞がれる。なお、側面板１２の表面の形状は、筐体１１の端面の形状とほぼ同じである。側面板１２は、ネジ１３により筐体１１に固定される。
【００３２】
また、筐体１１のＹＺ平面に平行な側面１１ｃの各々には、光学部材３０を支持するためのリブ１１ｄが設けられている。リブ１１ｄは、側面１１ｃから筐体１１の内部に向けて延びる、ＸＹ平面に平行な面の形状が長方形状の板状の凸部である。リブ１１ｄのＹ軸方向の長さは、筐体１１のＹ軸方向の長さと同じである。また、リブ１１ｄのＸ軸方向の長さは、２つのリブ１１ｄの間の距離が、上面１１ａに設けられた開口部１１ｂのＸ軸方向の長さよりも長くなるように、決定されている。言い換えると、図４Ｂに示すように、上面１１ａのＸ軸方向の長さ（側面１１ｃから開口部１１ｂまでの長さ）よりも、リブ１１ｄのＸ軸方向の長さの方が短い。
【００３３】
筐体１１の上面１１ａとリブ１１ｄとの間に、後述する光学部材３０の端部３０ｄが差し込まれる。筐体１１の内側のＸ軸方向の長さと、線状光源２０の長さと、光学部材３０の長さは略同じである。開口部１１ｂのＸ軸方向の長さ、及び、２つのリブ１１ｄの間隔は、光学部材３０のＸ軸方向の長さよりも短い。また、上面１１ａが光学部材３０に接する領域（Ｘ軸方向の長さ）の面積及びリブ１１ｄが光学部材３０に接する領域の面積は、光学部材３０を固定するのに必要な面積である。
【００３４】
筐体１１の底面１１ｅには、線状光源２０を納めることができる凹部が形成されている。凹部の深さは、線状光源２０の基板２１の厚さよりも小さい。線状光源２０は、接着あるいはネジ止め、あるいはその双方により筐体１１に固定される。
【００３５】
底面１１ｅのさらに下側（Ｚ軸の負側）には、照明装置１０を飛行機１００の天井１２１、１２２あるいは壁面１３１、１３２に固定するための脚部１１ｆが設けられている。脚部１１ｆには、天井１２１、１２２あるいは壁面１３１、１３２にネジ止めするための円形の複数の開孔１１ｇが形成されている。
【００３６】
線状光源２０は、図４Ａ及び図４Ｂに示すように、表面の形状が長尺状の板状の基板２１上に、複数のＬＥＤグループ２２が配置されている。ＬＥＤグループ２２の各々は、本実施の形態では、赤色のＬＥＤ素子２２１、緑色のＬＥＤ素子２２２、青色のＬＥＤ素子２２３、及び、白色のＬＥＤ素子２２４の４色のＬＥＤ素子で構成されている（図４Ａ及び図４Ｂでは図示せず、図５Ｂ参照）。
【００３７】
４つのＬＥＤ素子２２１、２２２、２２３及び２２４は、発光素子の一例であり、本実施の形態では、基板２１の長手方向に平行かつ基板２１の中央を通る直線に沿って、直線状に配置されている。さらに、本実施の形態では、複数のＬＥＤグループ２２が、当該直線（図５Ｂ参照）に沿って配置されている。
【００３８】
なお、ＬＥＤ素子２２１、２２２、２２３及び２２４の配置は、直線状に限られるものではない。各ＬＥＤグループ２２において、４個のＬＥＤ素子２２１、２２２、２２３及び２２４が２×２のマトリクス状に並べられているなど、他の配置であっても構わない。
【００３９】
光学部材３０は、線状光源２０から入射された光を出射する透光性部材である。光学部材３０の光出射側（Ｚ軸正側）の面には、複数の光拡散部３１が設けられている。光学部材３０については、以下で詳述する。
【００４０】
［１−３．光学部材］
続いて光学部材３０について図５Ａ〜５Ｄを用いて説明する。
【００４１】
図５Ａは、本実施の形態に係る光学部材３０の外観の一例を示す斜視図である。図５Ｂは、本実施の形態に係る光学部材３０の構成の一例を示す上面視図である。図５Ｃは、本実施の形態に係る光学部材３０の構成の一例を示す断面図である。図５Ｃでは、図５ＢのＶＣ−ＶＣ線を含むＺ軸に平行な平面における光学部材３０の断面を示している。図５Ｄは、本実施の形態に係る光学部材３０の構成の一例を示す他の断面図である。図５Ｄは、図５ＢのＶＤ−ＶＤ線を含むＺ軸に平行な平面における光学部材３０の断面を示している。
【００４２】
図５Ａ〜図５Ｄに示すように、光学部材３０は、線状光源２０から入射された光を出射する透光性部材の一例である。本実施の形態の光学部材３０は、出射光を長手方向（Ｙ軸方向）に拡散させ、長手方向に直交するＸ軸方向ではある程度集光させる。出射光を長手方向に拡散させることで、照明装置１０と他の照明装置１０との間の領域と、照明装置１０により直接照明される領域とで、明るさにむらが生じるのを低減する。また、Ｘ軸方向については出射光をある程度集光させることで、天井や壁に効率よく多くの光を照射することができる。
【００４３】
光学部材３０は、平面（ＸＹ平面に平行な面）の形状が長方形状の板状部材である。光学部材３０は、例えば、長手方向（Ｙ軸方向）の長さが１５ｃｍ〜３０ｃｍ、Ｘ軸方向の長さが約３ｃｍ、厚さが約３ｍｍである。
【００４４】
光学部材３０は、線状光源２０からの光が入射する長尺状の光入射面３０ｂと、光入射面３０ｂから入射した光が出射する長尺状の光出射面３０ａとを備えている。
【００４５】
光入射面３０ｂには、フレネルレンズを構成する複数の溝３３が設けられている。すなわち、光学部材３０は、光入射面３０ｂに、光入射面３０ｂから入射した光を光学部材３０の長手方向と垂直な方向に集光するフレネルレンズを有する。溝３３は、例えば、線状光源２０からの光が直接的に入射する入射部と、入射部に入射した光を反射する反射部とを有する。
【００４６】
光出射面３０ａには、複数の光拡散部３１が設けられている。光拡散部３１は、凸状の曲面を有する。光拡散部３１は、本実施の形態では、直径が１．０〜２．０ｍｍ、高さが約０．１ｍｍの略回転楕円体状の凸部である。このような複数の光拡散部３１によって、線状光源２０から光学部材３０に入射された光が拡散されて出射される。このため、光学部材３０から出射された光のむらが低減される。より詳しくは、光学部材３０から出射された光の照射面における、線状のむら、各ＬＥＤ素子に対応するむらによる粒々感、各ＬＥＤ素子がそれぞれ異なる色の光を出射することによる色むらなどの発生を低減することができる。また、光学部材３０の光出射面３０ａのむらも低減される。すなわち、光出射面３０ａ上に発生する各ＬＥＤ素子に対応したむらによる粒々感、各ＬＥＤ素子がそれぞれ異なる色の光を出射することによる色むらなどが低減される。なお、光拡散部３１の形状は、略回転楕円体状の凸部に限られるものではなく、円錐状、三角錐状、あるいは、凹部であっても構わない。光拡散部３１は、底面積が約２ｍｍ２程度、底面が円形の場合、直径が０．２〜２ｍｍ程度であることが好ましい。なお、光拡散部３１の大きさは、全ての光拡散部３１で同じでなくても構わない。また、各図においては、光拡散部３１の作用を理解し易くするために、光拡散部３１の高さを実際の高さより大幅に大きく示している。
【００４７】
図５Ｂは、光拡散部３１の配置及びＬＥＤ素子２２１〜２２４の配置を示している。図５Ｂに示すように、複数のＬＥＤ素子の並び方向と、複数の光拡散部３１の並び方向とは、略一致しているが、これらの並び方向は光出射面３０ａに対する平面視において交差していてもよい。複数のＬＥＤ素子の並び方向と、複数の光拡散部３１の並び方向とが９０度未満の角度で交差していることで、光学部材３０から出力される光のむらがさらに低減される。
【００４８】
図５Ｃに示すように、光学部材３０の光出射面３０ａのＸ軸方向の端部には、ＸＺ平面の形状が長方形状の切り欠き３０ｅが形成されている。この切り欠き３０ｅの形状は、筐体１１の上面１１ａの形状に依存している。言い換えると、光出射面３０ａが接する領域に切り欠き３０ｅが形成されている。このように構成されることで、光出射面３０ａにより、筐体１１の開口部１１ｂが塞がれる。また、光学部材３０は、Ｘ軸方向の端部３０ｄが筐体１１の上面１１ａとリブ１１ｄとの間に挟み込まれ、筐体１１に固定される。また、Ｘ軸方向の端部３０ｄの上面である端部上面３０ｃから光出射面３０ａまでの段差は、筐体１１の上面１１ａの厚さと略同一となるように切り欠き３０ｅが形成されている。
【００４９】
図５Ｄに示すように、光拡散部３１の形状は、光学部材３０の長手方向の位置によって異なる。具体的には、複数の光拡散部３１のうち、光学部材３０の長手方向の一端の近傍に設けられた光拡散部３１ａの配光の向きは、照明装置１０の配光の向きから、当該長手方向における当該光拡散部３１ａから当該一端へ向かう向きに傾斜している（図５Ｄの一点鎖線参照）。換言すると、複数の光拡散部３１のうち、図５ＤのＹ軸負側端部の近傍に設けられた光拡散部３１ａの配光の向きは、照明装置１０の配光の向きであるＺ軸正向きから、Ｙ軸負向きに傾斜している。また、複数の光拡散部３１のうち、光学部材３０の長手方向の他端の近傍に設けられた光拡散部３１ｃの配光の向きについても、同様に、照明装置１０の配光の向きから、当該長手方向における当該光拡散部３１から当該他端へ向かう向きに傾斜している。また、本実施の形態では、図５Ｄに示すように、光学部材３０の両端部に設けられた光拡散部３１ａ及び３１ｃの配光の向きは、Ｚ軸正向きから角度αだけ傾斜している。なお、ここで、光拡散部３１ａの「配光の向き」との記載によって、光拡散部３１ａにＺ軸正向きの光が入射された場合に、光拡散部３１ａから出射される光の配光の軸の向きを意味する。また、「一端の近傍」との記載によって、一端からの距離が、光学部材３０の長手方向の長さの３割程度以内であることを意味する。「他端の近傍」との記載についても同様である。また、本実施の形態では、光学部材３０の長手方向の中央部における光拡散部３１ｂの配光の向きは、照明装置１０の配光の向き（Ｚ軸正向き）と一致するように構成される（図５Ｄの一点鎖線参照）。これにより、照明装置１０の長手方向の両端部から出射された光は、照明装置１０の長手方向に拡散される。すなわち、図４Ａにおける照明装置１０のＹ軸方向への拡散が増大される。したがって、二つの照明装置１０をその長手方向に直列に配置する照明システムにおいて、二つの照明装置１０間の間隙１２３付近に生じる照度むらを低減することができる。ここで、照明装置１０の照度むら低減効果について図６を用いて説明する。図６は、本実施の形態に係る照明システム１０１が設けられた飛行機１００の壁面１３１を示す図である。図６に示されるように、照明システム１０１を構成する照明装置１０の長手方向の端部において、破線の矢印で示されるように光が拡散される。このため、長手方向に直列に配置された二つの照明装置１０間の間隙１２３付近においても光が照射され、照射面である壁面１３１における照射むらが低減される。特に、図６に示されるように、長手方向に直列に配置された二つの照明装置１０の両方からの光が照射される領域１３４が形成されるように照明システム１０１が構成されることにより、領域１３４における照度が増大される。これにより、領域１３４と他の照射領域との照度の差が低減されるため、壁面１３１における照射むらがより一層低減される。
【００５０】
なお、以上では、光学部材３０の長手方向の両端部の近傍に設けられた光拡散部３１ａ及び３１ｂの配光の向きが傾斜している構成を示したが、光学部材３０の長手方向の一方の端部の近傍に設けられた光拡散部の配光の向きだけが傾斜している構成としてもよい。また、光拡散部３１ａの配光の向きの傾斜と、光拡散部３１ｃの配光の向きの傾斜とが異なる構成であってもよい。これらの構成によっても、照明装置１０の長手方向への光の拡散を増大することができる。
【００５１】
［２．照明装置の変形例１］
本実施の形態の変形例１について、図７を用いて説明する。本変形例では、複数の光拡散部３１の配光の向きの傾斜の構成が、上記実施の形態に係る照明装置１０の構成と相違し、その他の構成は、上記実施の形態に係る照明装置１０の構成と同様である。
【００５２】
図７は、本変形例に係る光学部材３０Ａの構成を示す断面図である。図７は、上記実施の形態に係る光学部材３０の図５Ｄに示す断面図に対応する断面図である。
【００５３】
図７に示すように、本変形例に係る光学部材３０Ａにおいて、複数の光拡散部のうち、光学部材３０Ａの長手方向の一端から、長手方向の中央までに設けられた光拡散部の配光の向きは、照明装置１０の配光の向きから長手方向における光拡散部から当該一端に向かう向きに傾斜している。換言すると、本変形例に係る光学部材３０Ａにおいて、複数の光拡散部のうち、図７のＹ軸負側の端部から、光学部材３０ＡのＹ軸方向の中央までに設けられた光拡散部３１ｄの配光の向きは、Ｚ軸正向きからＹ軸負向きに傾斜している。また、本変形例に係る光学部材３０Ａにおいて、複数の光拡散部のうち、光学部材３０Ａの長手方向の他端から、長手方向の中央までに設けられた光拡散部の配光の向きは、照明装置の配光の向きから長手方向における光拡散部から当該他端に向かう向きに傾斜している。つまり、本変形例においては、すべての光拡散部の配光の向きが、照明装置１０の配光の向きから傾斜している。また、本実施の形態では、図７に示すように、光学部材３０に設けられた光拡散部３１ｄ及び３１ｅの配光の向きは、Ｚ軸正向きから角度βだけ傾斜している。
【００５４】
本変形例によっても、照明装置から出射された光は、照明装置の長手方向に拡散される。したがって、二つの照明装置をそれらの長手方向に直列に配置する照明システムにおいて二つの照明装置１０間の間隙１２３付近に生じる照度むらを低減することができる。
【００５５】
なお、以上では、光学部材３０Ａの全ての光拡散部の配光の向きが傾斜している構成を示したが、光学部材３０Ａの長手方向の一方の端部から中央までに設けられた光拡散部の配光の向きだけが傾斜している構成としてもよい。また、光拡散部３１ｄの配光の向きの傾斜と、光拡散部３１ｅの配光の向きの傾斜とが異なっていてもよい。これらの構成によっても、照明装置１０の長手方向への光の拡散を増大することができる。
【００５６】
［３．照明装置の変形例２］
本実施の形態の変形例２について、図８を用いて説明する。本変形例では、複数の光拡散部の配光の向きの傾斜の構成が、上記実施の形態に係る照明装置１０の構成と相違し、その他の構成は、上記実施の形態に係る照明装置１０の構成と同様である。
【００５７】
図８は、本変形例に係る光学部材３０Ｂの構成を示す断面図である。図８は、上記実施の形態に係る光学部材３０の図５Ｄに示す断面図に対応する断面図である。
【００５８】
図８に示すように、本変形例に係る光学部材３０Ｂにおいて、長手方向の一端から、長手方向の中央までに設けられた光拡散部の配光の向きの、照明装置１０の配光の向きから長手方向における当該光拡散部から当該一端に向かう向きへの傾斜は、長手方向の中央から当該一端にかけて漸増する。換言すると、本変形例に係る光学部材３０Ｂにおいて、複数の光拡散部のうち、例えば、図８のＹ軸負側の端部から、光学部材３０ＢのＹ軸方向の中央までに設けられた光拡散部の配光の向きの、Ｚ軸正向きからＹ軸負向きへの傾斜は、Ｙ軸方向中央からＹ軸負側の端部にかけて漸増する。また、本変形例においては、図８のＹ軸正側の端部から、光学部材３０ＢのＹ軸方向の中央までに設けられた光拡散部の配光の向きの、Ｚ軸正向きからＹ軸正向きへの傾斜は、光学部材３０ＢのＹ軸方向中央からＹ軸正側の端部にかけて漸増する。
【００５９】
図８に示すように、光学部材３０ＢのＹ軸方向の中央に設けられた光拡散部３１ｇの配光の向きは、照明装置１０の配光の向き（Ｚ軸正向き）と略一致している。そして、光学部材３０ＢのＹ軸方向の中央から両端部にかけて、光拡散部の配光の向きの傾斜は漸増し、光学部材３０ＢのＹ軸方向の両端部の光拡散部３１ｆ及び３１ｈにおいては、傾斜の角度はγとなっている。
【００６０】
本変形例によっても、照明装置１０から出射された光は、照明装置１０の長手方向に拡散される。したがって、二つの照明装置１０をその長手方向に直列に配置する照明システムにおいて二つの照明装置１０間の間隙１２３付近に生じる照度むらを低減することができる。さらに、本実施の形態においては、各光拡散部の配光の向きが長手方向の中央から一端にかけて漸増するため、隣り合う光拡散部間における配光の向きの変化量を低減することができる。これにより、照明装置の照射光のむらをさらに低減することができる。
【００６１】
なお、以上では、光学部材３０Ｂの長手方向の中央部を除く全ての光拡散部の配光の向きが傾斜している構成を示したが、光学部材３０Ｂの長手方向の一方の端部から中央付近までに設けられた光拡散部の配光の向きだけが傾斜している構成としてもよい。また、光拡散部３１ｆの配光の向きの傾斜と、光拡散部３１ｈの配光の向きの傾斜とが異なっていてもよい。これらの構成によっても、照明装置１０の長手方向への光の拡散を増大することができる。
【００６２】
［４．効果など］
以上のように、本実施の形態の照明装置１０は、長尺状の照明装置１０であって、線状光源２０と、線状光源２０から入射された光を出射する長尺状の光学部材３０とを備え、光学部材３０は、線状光源２０からの光が入射する長尺状の光入射面３０ｂと、光入射面３０ｂから入射した光が出射する長尺状の光出射面３０ａとを備え、光学部材３０には、複数の光拡散部３１が設けられ、複数の光拡散部３１のうち、光学部材の長手方向の一端の近傍に設けられた光拡散部３１ａ及び３１ｃの配光の向きは、照明装置１０の配光の向きから、長手方向における当該光拡散部から当該一端へ向かう向きに傾斜している。
【００６３】
このように、本実施の形態及び変形例の照明装置１０においては、複数の光拡散部が設けられた光学部材を用いることにより、照明光のむらを低減することができる。また、当該照明装置１０は、その長手方向に光を拡散することができるため、複数の照明装置１０を長手方向に直列に配置して使用する場合においても、照明装置１０間の間隙１２３付近にむら（暗部）が発生することを抑制することができる。
【００６４】
また、本実施の形態の照明装置１０において、複数の光拡散部３１のうち、長手方向の一端から、長手方向の中央までに設けられた光拡散部３１ｄの配光の向きは、照明装置１０の配光の向きから、長手方向における当該光拡散部から当該一端へ向かう向きに傾斜していてもよい。
【００６５】
また、本実施の形態の照明装置１０において、複数の光拡散部３１のうち、長手方向の一端から、長手方向の中央までに設けられた光拡散部の配光の向きの、照明装置１０の配光の向きから、長手方向における当該光拡散部から当該一端へ向かう向きへの傾斜は、当該中央から当該一端にかけて漸増してもよい。
【００６６】
これにより、隣り合う光拡散部間における配光の向きの変化量を低減することができるため、照明装置１０の照射光のむらをさらに低減することができる。
【００６７】
（その他の実施の形態）
以上、本発明に係る照明装置及び移動体について、上記実施の形態及びその変形例に基づいて説明したが、本発明は、上記の実施の形態に限定されるものではない。
【００６８】
例えば、上記実施の形態及びその変形例においては、光学部材は、板状の形状を有するが、他の形状であってもよい。例えば、線状光源２０側にハイブリッドレンズが設けられていてもよい。
【００６９】
また、上記実施の形態及びその変形例においては、線状光源２０を用いたが、照明装置の光源としては、長尺状の照明装置から、略一様に照明光を出射することができる光源であればよい。
【００７０】
また、上記実施の形態及びその変形例においては、光拡散部は、光学部材の光出射面３０ａに設けられているが、例えば、光入射面３０ｂにフレネルレンズが設けられていない場合には、光拡散部は、光入射面３０ｂに設けられてもよい。
【００７１】
また、上記実施の形態及びその変形例において、光源は線状光源に限定されない。照明装置の長尺状の光学部材の光出射面からほぼ一様な照射光を出射されることができる光源であれば、他の光源であってもよい。例えば、光源として、マトリクス状に配置されたＬＥＤ素子を用いてもよい。
【００７２】
また、線状光源２０を構成するＬＥＤ素子としては、表面実装（ＳＭＤ：Ｓｕｒｆａｃｅ  Ｍｏｕｎｔ  Ｄｅｖｉｃｅ）型ＬＥＤを基板２１に実装したＳＭＤ型の発光モジュールを用いてもよいし、ＬＥＤチップが基板２１に直接実装されたＣＯＢ（Ｃｈｉｐ  Ｏｎ  Ｂｏａｒｄ）型の発光モジュールを採用してもよい。また、有機ＥＬ（Ｅｌｅｃｔｒｏ  Ｌｕｍｉｎｅｓｃｅｎｃｅ）素子など他の固体発光素子を用いてもよい。
【００７３】
また、照明システムにおいて、二つの照明装置１０を、間隙１２３を設けずに隣接させて配置してもよい。照明装置１０の端部付近における光出力は一般に弱いため、二つの照明装置１０を隣接させて配置する場合においても、二つの照明装置１０の端部付近において、照射光のむら（暗部）が生じ得る。そのため、上記実施の形態及びその変形例に係る照明装置１０を用いて照明システムを構成することにより、上記配置においても、照明装置１０端部付近における照射光のむらを抑制する効果が奏される。
【００７４】
また、上記実施の形態及びその変形例においては、照明装置１０を適用する移動体として飛行機１００を例示したが、これに限定されない。例えば、当該照明装置は、列車、バス、船舶などに適用されてもよい。また、当該照明装置は、移動体以外に適用されてもよい。
【００７５】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【００７６】
１０  照明装置
２０  線状光源（光源）
３０、３０Ａ、３０Ｂ  光学部材
３０ａ  光出射面
３０ｂ  光入射面
３１、３１ａ、３１ｂ、３１ｃ、３１ｄ、３１ｅ、３１ｆ、３１ｇ、３１ｈ  光拡散部
３３  溝
１００  飛行機（移動体）
【図１】
0006489354.tif 000002
【図２】
0006489354.tif 000003
【図３】
0006489354.tif 000004
【図４Ａ】
0006489354.tif 000005
【図４Ｂ】
0006489354.tif 000006
【図５Ａ】
0006489354.tif 000007
【図５Ｂ】
0006489354.tif 000008
【図５Ｃ】
0006489354.tif 000009
【図５Ｄ】
0006489354.tif 000010
【図６】
0006489354.tif 000011
【図７】
0006489354.tif 000012
【図８】
0006489354.tif 000013